(57)【要約】      （修正有）【課題】容器本体に収納された粉粒体の吐出時に、粉粒体が周囲に飛び散らないようにした収納容器を提供する。【解決手段】粉粒体を収納する容器本体１と、容器本体の上端開口部５に嵌着される内蓋６と、内蓋を覆う状態で容器本体の上部に装着される着脱自在な外蓋２と、内蓋２の周縁部に所定の高さを有する粉粒体飛散防止枠３と、を備える。容器を振出しても、吐出した粉粒物は粉粒体飛散防止枠３の内壁に当たって、周囲に飛び散ることはない。そして飛散防止枠３が内蓋６及び外蓋２と着脱可能に設けられていることによって、運搬や保管の際にも場所を必要としない。【選択図】図３
0003117756.tif 000002
【実用新案登録請求の範囲】
【請求項１】
粉粒体を収納する容器本体と、該容器本体の上端開口部に嵌着される内蓋と、該内蓋を覆う状態で前記容器本体の上部に装着される着脱自在な外蓋とを備え、前記内蓋に容器本体内の粉粒体を吐出せしめるための吐出口が所定範囲内に複数穿設されている収納容器において、
前記内蓋の周縁部に内蓋及び外蓋から着脱可能となるように構成された粉粒体飛散防止枠を設けたことを特徴とする収納容器。
【請求項２】
粉粒体が短繊維状の合成高分子から成る人工毛である請求項１に記載の収納容器。
【考案の詳細な説明】
【技術分野】
【０００１】
本考案は内容物を対象物に少量ずつ振り掛けるのに用いられる散布式の収納容器に係わり、特に短繊維状の合成高分子から成る人工毛をはじめとする粉粒体を内容物として、その吐出量の調整可能にした収納容器に関する。
【背景技術】
【０００２】
従来、短繊維状の合成高分子から成る人工毛ほか、塩や胡椒といった粉粒体を収納する容器として図６に示すようなものが知られ、一般に広く普及している。
【０００３】
図６において、１は粉粒体を収容するための容器本体であり、この容器本体１はガラスやプラスチック製にして上部に粉粒体を導入するための開口部５が形成される。６は開口部５に嵌着される多孔状の内蓋（目皿）であり、この内蓋６には容器本体１に収容された粉粒体を吐出せしめるための吐出口が所定の開口率で複数穿設される。又、２は容器本体１の上部に装着される着脱自在な外蓋（キャップ）であり、係る外蓋２は内蓋６を覆って内容物の飛散や外部からの異物の混入を防止する働きをする。
【０００４】
そして、以上のような収納容器によれば、外蓋を外して容器本体を逆さにしながら上下に振ることにより、粉粒体で成る内容物を対象物上に適量ずつ撒き散らすことができる。
【０００５】
ここに、内容物の変質や漏れ出しを防止するために、容器本体の上端開口部（口部）を封止フィルム（インナーシール材）により密封し、使用に際して係る封止フィルムを剥離するようにしたものが知られる（例えば、特許文献１）。
【０００６】
又、容器本体の上端開口部（口頚部）に嵌着した内蓋（中栓）に封止フィルム（ガスバリアー性シール材）を貼着し、その封止フィルムで内蓋に穿設された吐出口（注出口）を塞いだものが知られる（例えば、特許文献２）。
【０００７】
【特許文献１】実用新案登録第２５８４７７４号公報
【特許文献２】登録実用新案第３０２２６４７号公報
【考案の開示】
【考案が解決しようとする課題】
【０００８】
然しながら、特許文献１，２の容器はいずれも使用に際して上下に振ると突出口から出た内容物が飛散し、本来降りかけたい部分以外の場所を汚してしまうという問題がある。
【０００９】
例えば、人工毛の収納容器において、人工毛は黒や茶色といった濃い色で構成されることから、髪の毛に人工毛を降りかけると、肩や背中にも人工毛が飛散し、着用している衣服を汚すことがあった。
【００１０】
本考案は以上のような事情に鑑みて成されたものであり、その目的は容器本体に収納された粉粒体の吐出の際、周囲に飛散しないようにすることのできる収納容器を提供することにある。
【課題を解決するための手段】
【００１１】
粉粒体を収納する容器本体と、該容器本体の上端開口部に嵌着される内蓋と、該内蓋を覆う状態で前記容器本体の上部に装着される着脱自在な外蓋とを備え、前記内蓋に容器本体内の粉粒体を吐出せしめるための吐出口が所定範囲内に複数穿設されている収納容器において、前記内蓋の周縁部に内蓋及び外蓋から着脱可能となるように構成された粉粒体飛散防止枠を設けたことを特徴とする収納容器を提供することにより、前記課題を解決する。
【００１２】
又、以上のような収納容器において、内部に収容される粉粒体が短繊維状の合成高分子から成る人工毛であることを特徴とする。
【考案の効果】
【００１３】
本考案によれば、前記内蓋の周縁部に所定の高さを有する粉粒体飛散防止枠を設けられていることから、内蓋に複数穿設されている吐出口から吐出する粉粒体が、周囲に飛散することを防止できる。つまり吐出した粉粒体は粉粒体飛散防止枠の内壁に当たって周囲に飛び散らないのである。
【００１４】
さらに前記飛散防止枠は内蓋及び外蓋と着脱可能に設けられていることによって、収納に際し高さを必要とせず、又、容器本体１に対して直接、外蓋２をすることによって、粉粒体の流出を防ぐことができる。
【００１５】
加えて容器を頭皮に直接あてて粉粒体を吐出させる場合にあっても、吐出口には頭皮の油分や整髪料の油分が付かないので、内部に収容される短繊維状の粉粒体がまとまって吐出したり、目詰まりを起こすことがない。
【考案を実施するための最良の形態】
【００１６】
以下、本考案を図面に基づいて詳しく説明する。図１は本考案に係る収納容器を示した側面図である。
【００１７】
図１において、１は所定の容積を有する容器本体であり、その内部には粉粒体として合成高分子から成る短繊維状の人工毛が収納される。尚、容器本体１はガラスやプラスチックなど様々な材料から形成できるが、これをＥＶＡ、軟質ポリエチレン、ポリブテンほか、基材に可塑剤を加えた弾性変形可能な軟質合成樹脂製にして、内容物をスクィーズ操作や振出操作で吐出させることができる。
【００１８】
又、２は容器本体１の上部に装着される着脱自在な外蓋（キャップ）であり、この外蓋２は円盤状の天板部２Ａと、その周縁より垂下する円筒状のスカート部２Ｂとで構成される。尚、係る外蓋２は非使用時に容器本体１の上部に装着されて容器本体１内への異物の混入や内容物の飛散を防止する働きをする。
【００１９】
粉粒体飛散防止枠３は容器本体１と外蓋２との間に設けられており、これらと嵌合するように設けられている。容器本体１や外蓋２と同様、ガラスやプラスチックなど様々な材料から形成できるが、これをＥＶＡ、軟質ポリエチレン、ポリブテンほか、基材に可塑剤を加えた弾性変形可能な軟質合成樹脂製とすることができる。
【００２０】
粉粒体飛散防止枠３の高さは１０ｍｍ〜３０ｍｍ、望ましくは２５ｍｍの間に設定することができる。粉粒体飛散防止枠３は容器本体１と外蓋２とから着脱可能に設けることによって、運送や保管の際に場所をとらないようにすることができ、又、容器本体１に対して直接、外蓋２をすることによって、粉粒体の流出を防ぐことができる。つまり、粉粒体飛散防止枠３を容器本体１と外蓋２との間に設けると、容器が倒れたり逆さになったりした場合に、容器本体１と外蓋２との間に隙間が生じて、粉粒体が吐出口から流出して前記隙間に溜まり、振掛けようとしたときに当該溜まった粉粒体がまとまって振掛けられてしまう可能性がある。無論、粉粒体飛散防止枠３を非着脱としても良いが、蒸気問題を解決するために、粉粒体飛散防止枠３は着脱可能として、非使用時は容器本体１に直接、外蓋２をしておくことが好ましい。
【００２１】
粉粒体飛散防止枠３は内蓋６の周縁部に設けられていることから、内蓋６に複数穿設されている吐出口８から吐出する粉粒体が、粉粒体飛散防止枠３の内壁に当たり、周囲に飛散することを防止できる。加えて容器を頭皮に直接あてて粉粒体を吐出させる場合にあっても、吐出口８には頭皮の油分や整髪料の油分が付かないので、内部に収容される短繊維状の粉粒体がまとまって吐出したり、目詰まりを起こすことがない。
【００２２】
次に、図２は粉粒体飛散防止枠を破断した状態を示す。この図で明らかなように、容器本体１の上部には外周に雄ねじをもつ円筒状のネック部４が形成され、その内側が容器本体１内へ人工毛を導入するための円形状の上端開口部５とされている。
【００２３】
又、容器本体１の上端開口部５には内蓋６が嵌着され、係る内蓋６の上部表面にポリエチレンやポリプロピレンといった合成樹脂から成る封止フィルム７を剥離可能に貼着することもできる。
【００２４】
そして粉粒体飛散防止枠３は内蓋６を覆う状態で容器本体１の上部に装着されるのであり、その装着手段として粉粒体飛散防止枠３下部の内周面にはネック部４の雄ねじと螺合する雌ねじが形成される。尚、粉粒体飛散防止枠３は図示のようなねじ式に限らず、凹凸の噛み合わせによるワンタッチの着脱方式にしてもよい。
【００２５】
次に、図３は外蓋を破断した状態を示す。この図で明らかなように、粉粒体飛散防止枠３の上部には外周に雄ねじをもつ円筒状のネック部３Ａが形成されている。そして、外蓋２はスカート部２Ｂと粉粒体飛散防止枠３の上部に位置する円筒状のネック部３Ａとが嵌合するように構成される。その装着手段としてスカート部２Ｂの外周面にはネック部４の雄ねじと螺合する雌ねじが形成される。尚、外蓋２は図示のようなねじ式に限らず、凹凸の噛み合わせによるワンタッチの着脱方式にしてもよい。
【００２６】
図４は粉粒体飛散防止枠３の縦方向の断面図である。円筒状のネック部３Ａには雄ネジが、粉粒体飛散防止枠３の下方内側には雌ネジが設けられている。このネジによって円筒状のネック部３Ａは外蓋２と、下方内側では容器本体のネック部４と嵌合するように構成されている。
【００２７】
次に、図５は容器本体の上部断面を示す。この図で明らかなように、本例において内蓋６は、容器本体１における上端開口部５の内側に嵌め込まれる断面凹字形の第１目皿６Ａと、上端開口部５の外側に嵌着される第２目皿６Ｂとで構成される。第１目皿６Ａと第２目皿６Ｂは、容器本体１内の内容物（人工毛）を吐出せしめるための吐出口８Ａ，８Ｂが複数穿設される多孔状のプラスチック構造物であり、特に本例では第２目皿５Ｂに対して第１目皿５Ａの各吐出口８Ａが大きく設定され、内容物が目詰まりすることなく良好に吐出される構成としてある。
【００２８】
但し、内蓋６は第１目皿６Ａと第２目皿６Ｂから成る二重構造であることに限らず、その構成として第１目皿６Ａと第２目皿６Ｂの何れか一方を省略してもよい。
【００２９】
吐出口８Ｂは内蓋６の全域に亙って所定の間隔で穿設される。尚、各吐出口８Ｂは丸孔に限らず、これを角孔としても差し支えない。
【００３０】
又、上記例では容器本体１に収納される粉粒体を合成高分子から成る短繊維状の人工毛としたが、係る粉粒体として調味料や化粧料などを容器本体１に収納してもよい。
【図面の簡単な説明】
【００３１】
【図１】本考案に係る収納容器を示した側面図
【図２】同容器を部分的に破断して示した側面図
【図３】同容器の外蓋を破断して示した側面図
【図４】粉粒体飛散防止枠の断面図
【図５】容器本体の上部断面
【図６】従来の収納容器
【符号の説明】
【００３２】
１  容器本体
２  外蓋
３  粉粒体飛散防止枠
３Ａ  粉粒体飛散防止枠ネック部
４  ネック部
５  上端開口部
６  内蓋
６Ａ  第１目皿
６Ｂ  第２目皿
【図１】
0003117756.tif 000003
【図２】
0003117756.tif 000004
【図３】
0003117756.tif 000005
【図４】
0003117756.tif 000006
【図５】
0003117756.tif 000007
【図６】
0003117756.tif 000008